(57)【特許請求の範囲】
【請求項１】
常時用光源と、非常用光源と、常用電源から給電され前記常時用光源を点灯させる電源装置と、前記常用電源が停電しているときに前記非常用光源を点灯させる非常用点灯装置と、を備え、
前記電源装置は、外部から取得した調光信号で指示される調光レベルに基づいて前記常時用光源を調光し、かつ、前記常時用光源を消灯するように構成され、
前記非常用点灯装置は、二次電池と、前記常用電源から給電されて前記二次電池を充電する充電回路と、前記常用電源が停電したときに前記二次電池から給電され前記非常用光源を点灯させる非常点灯回路と、制御回路と、を有し、
前記制御回路は、前記常用電源から給電されているときに取得した点検信号に応じて前記非常点灯回路に前記非常用光源を点灯させ、かつ前記電源装置へ前記常時用光源の消灯を指示する指示信号を出力するように構成され、前記指示信号は、前記常時用光源を消灯させるための前記調光信号と同一の信号である
ことを特徴とする照明装置。
【請求項２】
前記電源装置が前記外部から取得する前記調光信号は、デューティ比で前記調光レベルを指示するデューティ信号であり、
前記電源装置は、前記デューティ信号のデューティ比が所定範囲のときに前記常時用光源を消灯させるように構成されており、
前記制御回路は、前記指示信号としてデューティ比が前記所定範囲のデューティ信号を出力する
ことを特徴とする請求項１記載の照明装置。
【請求項３】
前記電源装置が前記外部から取得する前記調光信号は、直流電圧レベルで前記調光レベルを指示する直流電圧信号であり、
前記電源装置は、前記直流電圧信号の電圧レベルが所定レベル範囲のときに前記常時用光源を消灯させるように構成されており、
前記制御回路は、前記指示信号として電圧レベルが前記所定レベル範囲の直流電圧信号を出力する
ことを特徴とする請求項１記載の照明装置。
【請求項４】
前記調光信号の伝送経路に設けられた第１ダイオードと、前記指示信号の伝送経路に設けられた第２ダイオードと、を備える
ことを特徴とする請求項１乃至３のいずれか一項に記載の照明装置。
【請求項５】
前記制御回路は、前記常用電源から給電されているときに取得した電池容量点検信号に応じて前記非常点灯回路に前記非常用光源を一定時間点灯させ、前記二次電池の電圧を監視することにより前記二次電池の点検を行う二次電池点検機能を有し、かつ、前記指示信号を出力するように構成されている
ことを特徴とする請求項１乃至４のいずれか一項に記載の照明装置。
【請求項６】
前記制御回路は、前記常用電源が停電したときには前記二次電池から給電され、かつ、前記点検信号を受信したときに前記常用電源から給電されている場合のみ、前記指示信号を出力する
ことを特徴とする請求項１乃至５のいずれか一項に記載の照明装置。
【発明の詳細な説明】
【技術分野】
【０００１】
本発明は、一般に照明装置に関し、より詳細には、常用電源が停電したときに二次電池によって非常用光源を点灯させる照明装置に関する。
【背景技術】
【０００２】
従来、常用電源から給電されて点灯する常用光源ユニットと、常用電源の停電時に非常用電源（蓄電池）から給電されて点灯する非常用光源ユニットと、器具本体と、で構成される照明器具が知られている（特許文献１）。
【０００３】
常用光源ユニットは、ＬＥＤモジュールと、電源装置と、を備える。電源装置は、ＬＥＤモジュールの点灯電力を生成する。
【０００４】
非常用光源ユニットは、非常用ＬＥＤモジュールと、蓄電池と、点検スイッチを含むスイッチブロックと、を備える。スイッチブロックは、非常用点灯装置から定電圧が供給される。
【０００５】
非常用点灯装置は、充電回路と、非常用電源回路と、を備える。充電回路は、常用電源から供給される電力で蓄電池を充電する。非常用電源回路は、常用電源の停電時に蓄電池を電源として非常用ＬＥＤモジュールを点灯させる。
【０００６】
また、非常用点灯装置は、制御回路を備える。制御回路は、点検スイッチによる操作入力を受けると、充電回路を停止するとともに、非常用電源回路を動作させることで点検動作を行う。
【０００７】
非常用照明器具は、非常時において予備電源により３０分以上（６０分間定格の場合は６０分以上）の間、有効に点灯させることが求められている。ここでいう有効とは、非常照明器具が設置された居室等の床面をある一定以上の照度を確保している状態である。このため、非常用照明器具は、蓄電池があるレベル以上の容量を維持していることが必要である。非常用照明器具では、６ヶ月〜１年の期間毎に定期点検を行い、非常用照明器具の設置の不具合や寿命による不具合を防止している。
【０００８】
点検スイッチを操作して点検作業を行う場合と比べて点検作業を容易かつ有効に行うために、一般社団法人  日本照明工業会では、ＪＩＬ５５０１「非常用照明器具技術基準」において、「非常灯自動点検装置」を規定している。
【先行技術文献】
【特許文献】
【０００９】
【特許文献１】特開２０１６−９１９４７号公報
【発明の概要】
【発明が解決しようとする課題】
【００１０】
特許文献１に記載された照明器具は、常用光源ユニットと非常用光源ユニットとが独立した構成となっており、点検スイッチが操作されても常時用光源が点灯したまま、非常用光源が点灯する構成となっている。このため、特許文献１に記載された照明器具では、点検スイッチを操作しても、常時用光源が点灯しているので、非常用光源による床面の照度を点検することが難しかった。
【００１１】
本発明の目的は、非常用光源による床面の照度を容易に点検することが可能な照明装置を提供することにある。
【課題を解決するための手段】
【００１２】
本発明に係る一態様の照明装置は、常時用光源と、非常用光源と、常用電源から給電され前記常時用光源を点灯させる電源装置と、前記常用電源が停電しているときに前記非常用光源を点灯させる非常用点灯装置と、を備える。前記電源装置は、外部から取得した調光信号で指示される調光レベルに基づいて前記常時用光源を調光し、かつ、前記常時用光源を消灯するように構成されている。前記非常用点灯装置は、二次電池と、前記常用電源から給電されて前記二次電池を充電する充電回路と、前記常用電源が停電したときに前記二次電池から給電され前記非常用光源を点灯させる非常点灯回路と、制御回路と、を有する。前記制御回路は、前記常用電源から給電されているときに取得した点検信号に応じて前記非常点灯回路に前記非常用光源を点灯させ、かつ前記電源装置へ前記常時用光源の消灯を指示する指示信号を出力するように構成されている。前記指示信号は、前記常時用光源を消灯させるための前記調光信号と同一の信号である。
【発明の効果】
【００１３】
本発明の照明装置は、非常用光源による床面の照度を容易に点検することが可能となる。
【図面の簡単な説明】
【００１４】
【図１】図１は、本発明の一実施形態に係る照明装置の回路図である。
【図２】図２は、同上の照明装置に関し、調光信号として取得するデューティ信号のデューティ比と常時用光源に流れる電流と常時用光源の光出力比との関係説明図である。
【図３】図３は、同上の照明装置に関し、調光信号として取得する直流電圧信号の電圧レベルと常時用光源の光出力比との関係説明図である。
【図４】図４は、同上の照明装置の動作説明図である。
【図５】図５は、同上の照明装置の他の動作説明図である。
【図６】図６は、同上の照明装置を備えた照明器具の斜視図である。
【図７】図７は、同上の照明装置を備えた照明器具の分解斜視図である。
【図８】図８は、本発明の一実施形態の変形例に係る照明装置に関し、調光信号として取得する直流電圧信号の直流電圧レベルと常時用光源に流れる電流と常時用光源の光出力比との関係説明図である。
【発明を実施するための形態】
【００１５】
（実施形態１）
以下では、本実施形態の照明装置８について、図１〜５に基づいて説明する。
【００１６】
本実施形態の照明装置８は、例えば、非常用照明装置として用いることができる照明装置である。照明装置８は、例えば、階段灯等の照明器具に用いられる。
【００１７】
照明装置８は、常時用光源１０と、非常用光源２０と、常用電源４から給電され常時用光源１０を点灯させる電源装置５と、常用電源４が停電しているときに非常用光源２０を点灯させる非常用点灯装置６と、を備える。また、照明装置８には、第１点検スイッチＳＷ１及び第２点検スイッチＳＷ２が接続されている。
【００１８】
常時用光源１０は、複数のＬＥＤ１０１の直列回路を有するＬＥＤモジュールである。常時用光源１０の光源色は、例えば、白色である。
【００１９】
非常用光源２０は、一例として、複数のＬＥＤ２０１の直列回路を有するＬＥＤモジュールである。非常用光源２０の光源色は、例えば、白色である。非常用光源２０のＬＥＤモジュールのＬＥＤの個数は、常時用光源１０のＬＥＤモジュールのＬＥＤの個数よりも少ない。非常用光源２０のＬＥＤモジュールのＬＥＤの個数は、常用電源４の停電しているときに床面上に一定以上の照度を確保できるように決められている。ここでいう一定以上の照度は、例えば、高温（７０℃）においては１ルクス以上、常温（２５℃）においては２ルクス以上である。また、照度は、水平面照度である。以下では、確保する必要のある照度を所定照度という。つまり、所定照度は、高温においては１ルクス、常温においては２ルクスである。
【００２０】
常用電源４は、例えば、商用電源である。したがって、常用電源４は、電源装置５へ商用周波数（例えば、５０Ｈｚ又は６０Ｈｚ）の交流電圧を給電する。
【００２１】
電源装置５は、常用電源４から供給される交流電力を直流電力に変換し、当該直流電力を常時用光源１０に供給して常時用光源１０を点灯させるように構成されている。ここにおいて、電源装置５は、外部（制御装置１００）から取得した調光信号で指示される調光レベルに基づいて常時用光源１０を調光し、かつ、常時用光源１０を消灯するように構成されている。
【００２２】
電源装置５は、例えば、整流回路５１と、ＰＦＣ（Power Factor Correction）回路５２と、降圧チョッパ回路５３と、制御回路５４と、を備える。
【００２３】
整流回路５１は、例えば、常用電源４から入力される交流電圧を全波整流するダイオードブリッジからなる全波整流回路である。
【００２４】
ＰＦＣ回路５２は、整流回路５１の一対の出力端間に接続されている。ＰＦＣ回路５２は、例えば、整流回路５１から出力される直流電圧を昇圧する昇圧チョッパ回路である。
【００２５】
降圧チョッパ回路５３は、ＰＦＣ回路５２の一対の出力端間に接続されている。降圧チョッパ回路５３は、例えば、ＰＦＣ回路５２から出力される直流電圧を降圧するチョッパ回路である。
【００２６】
制御回路５４は、例えば、制御ＩＣ（Integrated Circuit）、マイクロコンピュータ等により構成することができる。制御回路５４は、外部（制御装置１００）から取得した調光信号で指示される調光レベルに基づいて降圧チョッパ回路５３を制御することにより、降圧チョッパ回路５３から常時用光源１０に供給させる直流電力の大きさを調整する。制御回路５４は、常用電源４から整流回路５１等を介して給電される。
【００２７】
調光レベルは、常時用光源１０に供給される単位時間当たりの平均電力の、定格電力に対する比率［％］で表される。例えば、常時用光源１０に供給される単位時間当たりの平均電力が定格電力の半分の場合、調光レベルは５０％である。言い換えると、制御回路５４は、調光信号で指示される調光レベルが５０％であれば、降圧チョッパ回路５３から常時用光源１０に供給される単位時間当たりの平均電力を定格電力の半分にするように降圧チョッパ回路５３を制御する。制御回路５４は、降圧チョッパ回路５３から出力される電流を検出し、検出電流の平均値を調光レベルに対応した目標値に一致させるように、降圧チョッパ回路５３を制御するように構成されているのが好ましい。
【００２８】
したがって、例えば、調光信号で指示される調光レベルが１００％の場合、制御回路５４は、常時用光源１０を定格点灯させるために、降圧チョッパ回路５３から常時用光源１０へ定格電流値の電流を供給させる。これにより、照明装置８では、常時用光源１０が定格点灯する。また、制御回路５４は、例えば、調光信号で指示される調光レベルが５０％の場合には、常時用光源１０を定格点灯のときの光出力の５０％の光出力で点灯させるために、降圧チョッパ回路５３から常時用光源１０へ定格直流値の５０％の大きさの電流を供給させる。また、制御回路５４は、調光信号で指示される調光レベルが０％の場合には、降圧チョッパ回路５３から常時用光源１０への直流電流の供給を停止させる（降圧チョッパ回路５３の動作を停止させる）ことにより、常時用光源１０を消灯させる。
【００２９】
電源装置５が外部（制御装置１００）から取得する調光信号は、例えば、デューティ比で調光レベルを指示するデューティ信号である。ここにおいて、調光信号は、例えば、図２に示すようなデューティ信号である。デューティ信号は、例えば、振幅が５Ｖの矩形波信号である。制御回路５４は、図２に示すように、デューティ比が大きいほど、降圧チョッパ回路５３から常時用光源１０へ供給させる電流（降圧チョッパ回路５３の出力電流）を低下させる。要するに、制御回路５４は、デューティ信号のデューティ比が大きいほど、常時用光源１０の光出力を低下させる。制御回路５４は、デューティ信号のデューティ比が所定範囲（９０〜１００％）の場合、光出力を０とする（調光レベルを０％とする）ように降圧チョッパ回路５３から常時用光源１０への電流の供給を停止させる。言い換えれば、制御回路５４は、常時用光源１０を消灯させるように降圧チョッパ回路５３の動作を停止させる。要するに、電源装置５は、デューティ信号のデューティ比が所定範囲のときに常時用光源１０を消灯させるように構成されている。図３は、デューティ信号のデューティ比と常時用光源１０の光出力比との関係を示している。ここでいう光出力比は、定格電流値の電流が供給されている常時用光源１０の光出力に対する、任意の電流値の電流が供給されている常時用光源１０の光出力の比率［％］である。調光レベルを指示することは、光出力比を指示することと同等である。したがって、照明装置８では、デューティ信号のデューティ比が所定範囲（９０〜１００％）の場合、光出力比は０％となる。
【００３０】
非常用点灯装置６は、一例として、整流回路６１と、ＤＣ−ＤＣコンバータ６２と、二次電池６３と、充電回路６４と、非常点灯回路６５と、制御回路６６と、制御電源回路６７と、を備える。
【００３１】
整流回路６１は、ダイオードブリッジからなる全波整流回路である。整流回路６１は、常用電源４から給電される交流電圧を全波整流した直流電圧を出力する。
【００３２】
ＤＣ−ＤＣコンバータ６２は、整流回路６１から出力される直流電圧を所定の直流電圧に変換して出力する。ＤＣ−ＤＣコンバータ６２は、一例として、フライバックコンバータである。ＤＣ−ＤＣコンバータ６２は、平滑コンデンサＣ１と、トランスＴ１と、スイッチング素子（図示せず）と、ダイオードＤ２と、平滑コンデンサＣ２と、を備えている。
【００３３】
ＤＣ−ＤＣコンバータ６２では、平滑コンデンサＣ１が、整流回路６１の一対の出力端間に接続されている。ＤＣ−ＤＣコンバータ６２は、平滑コンデンサＣ１の両端間に、トランスＴ１の一次巻線ｎ１とインテリジェントパワーデバイス（以下、「ＩＰＤ」と略称する）６２３におけるスイッチング素子（パワーＭＯＳＦＥＴ）との直列回路が接続されている。ＩＰＤ６２３は、スイッチング素子及びその制御回路を含んでいる。ＩＰＤ６２１における制御回路は、スイッチング素子をオンオフ制御する。ＩＰＤ６２３は、パナソニック株式会社製の「ＭＩＰ２Ｅ２ＤＭＵ」であり、Drain端子と、Source端子と、Control端子と、を備えている。ＤＣ−ＤＣコンバータ６２では、ＩＰＤ６２３のDrain端子がトランスＴ１の一次巻線ｎ１に接続されている。また、ＤＣ−ＤＣコンバータ６２では、ＩＰＤ６２３のSource端子が整流回路６１の低電位側の出力端に接続されている。また、ＤＣ−ＤＣコンバータ６２では、トランスＴ１の三次巻線ｎ３の両端間に、ダイオードＤ３と抵抗Ｒ３とコンデンサＣ３との直列回路が接続されている。また、ＤＣ−ＤＣコンバータ６２では、抵抗Ｒ３とコンデンサＣ３との接続点が、フォトカプラ６２０のフォトトランジスタ６２２を介してＩＰＤ６２３のControl端子に接続されている。ＤＣ−ＤＣコンバータ６２では、フォトトランジスタ６２２のオン、オフに応じてＩＰＤ６２３のスイッチング素子がオン、オフされる。
【００３４】
ＤＣ−ＤＣコンバータ６２では、トランスＴ２の二次巻線ｎ２の両端間に、ダイオードＤ２と平滑コンデンサＣ２との直列回路が接続されている。ＤＣ−ＤＣコンバータ６２では、平滑コンデンサＣ２の両端間に、抵抗Ｒ５とフォトカプラ６２０の発光素子６２１とシャントレギュレータ６２４との直列回路が接続されている。また、ＤＣ−ＤＣコンバータ６２では、平滑コンデンサＣ２の両端間に、抵抗Ｒ６と抵抗Ｒ７との直列回路が接続されている。ＤＣ−ＤＣコンバータ６２では、抵抗Ｒ６と抵抗Ｒ７との接続点が抵抗Ｒ８を介してシャントレギュレータ６２４のリファレンス端子に接続されている。
【００３５】
二次電池６３は、ＤＣ−ＤＣコンバータ６２の出力端間に充電回路６４を介して接続されている。言い換えれば、充電回路６４と二次電池６３との直列回路が、ＤＣ−ＤＣコンバータ６２の一対の出力端間に接続されている。二次電池６３は、一例として、ニッケル水素電池である。
【００３６】
充電回路６４は、常用電源４から給電され二次電池６３を充電する。より詳細には、充電回路６４は、ＤＣ−ＤＣコンバータ６２から出力される電流により二次電池６３を充電する。充電回路６４は、一例として、抵抗Ｒ４とダイオードＤ４との直列回路である。充電回路６４は、ダイオードＤ４のアノードが抵抗Ｒ４を介してダイオードＤ２のカソードと接続され、ダイオードＤ４のカソードが二次電池６３の正極と接続されている。二次電池６３の負極は、ＤＣ−ＤＣコンバータ６２の一対の出力端のうち低電位側の出力端に接続されている。
【００３７】
非常点灯回路６５は、常用電源４の停電の際に、二次電池６３から給電されて非常用光源２０を点灯させる。非常点灯回路６５は、例えば、定電流回路である。ここにおいて、照明装置８は、常用電源４の停電を検出する停電検出回路（図示せず）を備えており、停電検出回路により停電が検出されたときに、二次電池６３を電源として非常点灯回路６５が非常用光源２０を点灯させる。ここにおいて、照明装置８では、制御回路６６に停電検出回路が接続されており、停電検出回路により停電が検出されたときに制御回路６６が非常点灯回路６５を制御して非常点灯回路６５に非常用光源２０を点灯させる。
【００３８】
照明装置８に接続される第１点検スイッチＳＷ１及び第２点検スイッチＳＷ２は、制御回路６６に接続されている。第１点検スイッチＳＷ１及び第２点検スイッチＳＷ２の各々は、例えば、常開型の押釦スイッチである。
【００３９】
第１点検スイッチＳＷ１は、非常用光源２０による照度を点検するときに操作されるスイッチである。また、第２点検スイッチＳＷ２は、自己点検を行うときに操作されるスイッチである。
【００４０】
照明装置８では、第１点検スイッチＳＷ１が操作されたときに制御回路６６が点検信号を取得する。ここにおいて、「制御回路６６が点検信号を取得する」とは、制御回路６６が、第１点検スイッチＳＷ１がオンされたことを検知することであってもよい。また、照明装置８では、第２点検スイッチＳＷ２が操作されたときに制御回路６６が電池容量点検信号を取得する。ここにおいて、「制御回路６６が電池容量点検信号を取得する」とは、制御回路６６が、第２点検スイッチＳＷ２がオンされたことを検知することであってもよい。
【００４１】
制御回路６６は、点検信号を取得すると第１の点検動作を行う。ここにおいて、制御回路６６は、常用電源４から給電されているときに取得した点検信号に応じて非常点灯回路６５に非常用光源２０を点灯させ、かつ電源装置５へ常時用光源１０の消灯を指示する指示信号（消灯信号）を出力するように構成されている。指示信号は、常時用光源１０を消灯させるための調光信号と同一の信号である。「常時用光源１０を消灯させるための調光信号」は、デューティ比が所定範囲（９０〜１００％）のデューティ信号である。したがって、指示信号は、デューティ比が所定範囲（９０〜１００％）のデューティ信号である。
【００４２】
制御回路６６は、電池容量点検信号を取得すると第２の点検動作を行う。制御回路６６は、常用電源４から給電されているときに取得した電池容量点検信号に応じて、電源装置５へ常時用光源１０の消灯を指示する指示信号を出力する。また、制御回路６６は、二次電池６３により非常用光源２０を所定時間（３０分）点灯させ、二次電池６３の電圧をモニタし、点検結果を表示部に表示させる。表示部は、例えば、緑色光を放射するＬＥＤにより構成され、照明装置８の制御回路６６に接続される。制御回路６６は、例えば、所定時間経過前あるいは経過後に二次電池６３の電圧が規定値未満になると二次電池６３が異常（電池容量不足）と判定し、表示部を点滅させる。また、制御回路６６は、所定時間経過後に二次電池６３の電圧が規定値以上であれば二次電池６３が正常であると判定し、表示部を点灯させる。照明装置８は、制御回路６６において二次電池６３の電圧を監視するように構成されている。言い換えれば、照明装置８は、二次電池６３の電圧を検出する電圧検出回路（図示せず）を備え、制御回路６６において電圧検出回路の検出電圧を監視するように構成されている。
【００４３】
制御回路６６は、マイコン（Microcontroller）６６１を含む。マイコン６６１は、プログラムに従って動作するプロセッサと、プロセッサを動作させるプログラムを格納するためのメモリ及び作業用のメモリと、を備えた１チップのデバイスとして構成される。制御回路６６は、マイコン６６１にプログラムを実行させることにより、実現することができる。マイコン６６１のグラウンド端子はグラウンドに接地されている。
【００４４】
非常用点灯装置６は、ＤＣ−ＤＣコンバータ６２の高電位側の出力端とマイコン６６１のグラウンド端子との間に、ダイオードＤ１３と抵抗Ｒ１とバイポーラトランジスタＴＲ１との直列回路が接続されている。非常用点灯装置６では、ダイオードＤ１３のアノード端子がＤＣ−ＤＣコンバータ６２の高電位側の出力端に接続されている。また、非常用点灯装置６では、ダイオードＤ１３のカソード端子が抵抗Ｒ１の第１端に接続されている。抵抗Ｒ１の第２端は、バイポーラトランジスタＴＲ１のコレクタ端子に接続されている。バイポーラトランジスタＴＲ１のエミッタ端子は、マイコン６６１のグラウンド端子と接続されている。バイポーラトランジスタＴＲ１のベース端子は、マイコン６６１の信号出力端子に接続されている。マイコン６６１は、信号出力端子から指示信号を出力するように構成されている。
【００４５】
抵抗Ｒ１とバイポーラトランジスタＴＲ１のコレクタとの接続点は、ダイオードＤ１４を介して、電源装置５における制御回路５４の調光端子に接続されている。より詳細には、抵抗Ｒ１とバイポーラトランジスタＴＲ１のコレクタとの接続点は、ダイオードＤ１４のアノード端子に接続されている。ダイオードＤ１４のカソード端子は、制御回路５４の調光端子に接続されている。調光端子は、制御回路５４において、外部（制御装置１００）からの調光信号が入力される端子である。言い換えれば、制御回路５４は、外部（制御装置１００）からの調光信号を、調光端子を介して取得する。照明装置８は、外部（制御装置１００）から電源装置５への調光信号の伝送経路１５１に設けられたダイオードＤ２１（第１ダイオード）を備えている。また、照明装置８は、非常用点灯装置６から電源装置５への指示信号の伝送経路１５２に設けられたダイオードＤ１４（第２ダイオード）を備えている。ダイオードＤ２１は、調光信号の伝送方向を順方向とするように調光信号の伝送経路１５１に設けられている。ダイオードＤ１４は、指示信号の伝送方向を順方向とするように指示信号の伝送経路１５２に設けられている。
【００４６】
非常用点灯装置６では、常用電源４から通電（給電）されている場合のみＤＣ−ＤＣコンバータ６２が動作し、ＤＣ−ＤＣコンバータ６２からダイオードＤ１３を介してバイポーラトランジスタＴＲ１に電源を供給可能である。よって、非常用点灯装置６は、常用電源４から通電（給電）されている場合、指示信号を出力可能である。また、非常用点灯装置６では、常用電源４から通電されていない場合（常用電源４が停電している場合）、ＤＣ−ＤＣコンバータ６２が動作しないので、ＤＣ−ＤＣコンバータ６２からバイポーラトランジスタＴＲ１に電源を供給できない。よって、非常用点灯装置６は、常用電源４が停電している場合、指示信号を出力することができない。
【００４７】
制御電源回路６７は、制御回路６６の動作電圧（例えば、５Ｖ）を制御電源として生成する。要するに、制御電源回路６７は、制御回路６６へ制御電源を供給する。ここにおいて、制御電源回路６７は、三端子レギュレータ６７１及び２つのコンデンサＣ７、Ｃ８を含む。ここにおいて、照明装置８では、ＤＣ−ＤＣコンバータ６２の一対の出力端のうち高電位側の出力端がダイオードＤ１１を介して三端子レギュレータ６７１の入力端子に接続されている。また、照明装置８では、二次電池６３の正極がダイオードＤ１２を介して三端子レギュレータ６７１の入力端子に接続されている。また、三端子レギュレータ６７１の出力端子は、制御回路６６におけるマイコン６６１の電源端子に接続されている。制御電源回路６７では、三端子レギュレータ６７１の入力端子とグラウンド端子との間に、コンデンサＣ７が接続されている。また、制御電源回路６７では、三端子レギュレータ６７１の出力端子とグラウンド端子との間に、コンデンサＣ８が接続されている。
【００４８】
制御電源回路６７は、常用電源４から照明装置８へ通電されているときには、ＤＣ−ＤＣコンバータ６２からダイオードＤ１１を介して給電される。また、制御電源回路６７は、常用電源４が停電しているときには、二次電池６３からダイオードＤ１２を介して給電される。
【００４９】
以下、照明装置８の動作例について図４に示すタイムチャートに基づいて説明する。
【００５０】
照明装置８は、常用電源４から電源装置５へ通電（給電）されているときには、電源装置５により常時用光源１０を点灯させている。そして、照明装置８は、常用電源４から電源装置５へ通電されている状態において外部（制御装置１００）からデューティ比が１００％のデューティ信号（消灯信号）が電源装置５に入力されると、電源装置５が常時用光源１０を消灯させる。その後、照明装置８は、電源装置５への指示信号（消灯信号）の入力が停止されると、電源装置５により常時用光源１０を点灯させる。このとき、照明装置８では、ＤＣ−ＤＣコンバータ６２から充電回路６４を介して二次電池６３を充電しており、非常用光源２０は消灯している。
【００５１】
常用電源４が停電すると、照明装置８では、常用電源４から電源装置５へ給電されなくなるので、常時用光源１０が消灯する。また、照明装置８では、二次電池６３を電源として非常点灯回路６５が非常用光源２０を点灯させる。
【００５２】
その後、常用電源４が復電すると、照明装置８は、常用電源４から給電されるので、常時用光源１０を点灯させ、かつ、非常用光源２０を消灯させる。
【００５３】
次に、第１点検スイッチＳＷ１が操作されることによって点検信号が非常用点灯装置６に入力されると、非常用点灯装置６は、二次電池６３を電源として非常用光源２０を点灯させ、かつ、指示信号（消灯信号）を出力する。これにより、照明装置８では、電源装置５に非常用点灯装置６からの指示信号が入力され、電源装置５が常時用光源１０を消灯させる。
【００５４】
その後、点検信号が停止すると、照明装置８では、非常用点灯装置６が指示信号を停止させる。これにより、照明装置８は、常時用光源１０が点灯し、かつ、非常用光源２０が消灯する。
【００５５】
照明装置８は、常用電源４から電源装置５に給電されている状態で、非常用点灯装置６に点検信号が入力されると、常時用光源１０を消灯させ、かつ非常用光源２０を点灯させることが可能である。よって、照明装置８の点検者は、常時用光源１０が消灯しかつ非常用光源２０が点灯した状態で、床面の照度を照度計により測定することが可能である。
【００５６】
また、照明装置８の別の動作例について図５に示すタイムチャートに基づいて説明するが、図４のタイムチャートと同じ動作については説明を省略する。
【００５７】
第２点検スイッチＳＷ１が操作されることによって電池容量点検信号が非常用点灯装置６に入力されると、非常用点灯装置６は、二次電池６３を電源として非常用光源２０を点灯させる。また、非常用点灯装置６は、電池容量点検信号をトリガとして指示信号（消灯信号）を所定時間（３０分）の間、出力する。これにより、照明装置８では、電源装置５に非常用点灯装置６からの指示信号が入力され、電源装置５が常時用光源１０を消灯させる。
【００５８】
ここで、非常用点灯装置６は、電池容量点検信号をトリガとして二次電池６３により非常用光源２０を所定時間（３０分）点灯させ、二次電池６３の電圧を監視（モニタ）し、点検結果を表示部に表示させる。照明装置８では、所定時間経過すると、常時用光源１０が点灯し、かつ、非常用光源２０が消灯する。ただし、非常用点灯装置６は、所定時間が経過するか、もしくは二次電池６３の電圧が規定値未満となると、点検結果を表示部に表示させる。
【００５９】
照明装置８の点検者は、第２点検スイッチＳＷ２を操作した場合も、常時用光源１０が消灯しかつ非常用光源２０が点灯した状態で、床面の照度を照度計により測定することが可能である。
【００６０】
制御回路６６は、第２点検スイッチＳＷ２が操作されたときに電池容量点検信号を取得する例に限らず、例えば、赤外線を媒体とするワイヤレス信号を受信する受光素子から電池容量点検信号を取得するように構成されていてもよい。ここにおいて、電池容量点検信号を含むワイヤレス信号は、リモートコントロール送信器から送信される。
【００６１】
次に、上述の照明装置８を備えた照明器具９について、図６及び７に基づいて説明する。
【００６２】
照明器具９は、常時用光源１０を含む光源ユニット１と、各々が非常用光源２０を含む２つの非常用光源ユニット２と、器具本体３とを備える。また、照明器具９は、非常用点灯装置６を含む非常用電源ユニット６０と、二次電池６３と、制御装置１００を含む制御ユニット５０と、人検知ユニット７０とを備える。以下の説明では、特に断りのない限り、図６に矢印で示す向きにおいて、照明器具９の上下、左右及び前後の各方向を規定する。すなわち、照明器具９が階段の踊り場の壁面に設置された状態において、鉛直方向を上下方向とし、壁面の法線方向を前後方向とし、正面から見て左右方向を左右方向とする。
【００６３】
器具本体３は、長尺の矩形平板状に形成される背板３０と、各々が長尺の矩形平板状である上板３１及び下板３２とを有する（図７参照）。上板３１は、背板３０の上端における長手方向の両端部を除く部分から背板３０の法線方向に沿って前方へ突出するように形成されている。下板３２は、背板３０の下端における長手方向の両端部を除く部分から背板３０の法線方向に沿って前方へ突出するように形成されている。ここで、器具本体３は、背板３０の上板３１及び下板３２と繋がっていない部分と、上板３１と、下板３２とで第１本体部３Ａを構成し、第１本体部３Ａを除く背板３０の左右両端部分で第２本体部３Ｂを構成している（図７参照）。
【００６４】
背板３０は、複数（例えば、４つ）の長孔を有している。複数の長孔は、背板３０の長手方向に沿って間隔を空けて設けられている。複数の長孔の各々には、踊り場の壁（コンクリート壁）に埋設されている複数のアンカーボルトが１つずつ挿通される。そして、複数のアンカーボルトの各々にナットが締め付けられることによって、器具本体３がコンクリート壁に固定される。また、背板３０の長手方向のほぼ中央に、複数（図示例では２つ）の丸孔３０１が長手方向に並ぶように設けられている。これらの丸孔３０１は、常用電源４からの給電用の電源線が挿通される。さらに、背板３０の前面における丸孔３０１の近傍には、端子台３３が取り付けられている。端子台３３には、丸孔３０１から引き込まれる電源線が電気的に接続される。
【００６５】
二次電池６３は、背板３０の前面における左端の部位に取り付けられている。
【００６６】
非常用電源ユニット６０は、例えば、第１本体部３Ａと右側の第２本体部３Ｂに跨がって、背板３０の前面における右端の部位に取り付けられている。
【００６７】
第１点検スイッチＳＷ１及び第２点検スイッチＳＷ２は、合成樹脂製の箱体４０に収容されている。箱体４０内には、第１点検スイッチＳＷ１及び第２点検スイッチＳＷ２の他に、表示部を構成するＬＥＤ（表示用ＬＥＤ）、赤外線を媒体とするワイヤレス信号を受信する受光素子等が収容されている。箱体４０は、下板３２の左端近傍に取り付けられている。箱体４０の下壁には、第１点検スイッチＳＷ１の押釦を露出させる第１孔４０１が形成されている。また、箱体４０の下壁には、第２点検スイッチＳＷ２の押釦を露出させる第２孔４０２が形成されている。また、箱体４０の下壁には、表示用ＬＥＤを露出させる第３孔４０３が形成されている。また、箱体４０の下壁には、ワイヤレス信号を通す孔４０４が形成されている。非常用電源ユニット６０は、受光素子で点検の開始を指示するワイヤレス信号を受信した場合、制御回路６６が受光素子から点検信号を取得するように構成されていてもよい。
【００６８】
人検知ユニット７０は、電波センサ７１と、センサ取付台７２と、を備える。電波センサ７１は、ミリ波帯の電波を媒体として人（移動体）を検知し、人を検知したときに人検知信号を制御ユニット５０に出力するように構成されている。センサ取付台７２は、電波センサ７１を保持し、器具本体３の下板３２における長手方向の中央に取り付けられる。
【００６９】
制御ユニット５０は、常用電源４から給電されて動作する。制御ユニット５０は、人検知ユニット７０の電波センサ７１から出力される人検知信号に応じて、光源ユニット１を制御するように構成されている。制御ユニット５０は、人検知ユニット７０から人検知信号が出力されているとき、光源ユニット１に、定格点灯するように指示するための調光信号を出力する。また、制御ユニット５０は、人検知信号が出力されなくなってから所定の待機時間（例えば、数十秒から数分）が経過したとき、光源ユニット１の常時用光源１０を所定の調光レベル（例えば、５０％）で点灯させるように指示するための調光信号を出力する。ただし、制御ユニット５０は、常用電源４が停電したときは全ての動作を停止する。
【００７０】
光源ユニット１は、常時用光源１０（以下、「ＬＥＤモジュール１０」とも称する）と、ＬＥＤモジュール１０が取り付けられる取付部材１１と、ＬＥＤモジュール１０を覆うようにして取付部材１１に取り付けられるカバー１２と、を備える。また、光源ユニット１は、電源装置５を含む電源ユニット１３を備える。
【００７１】
ＬＥＤモジュール１０は、長尺の矩形板状の実装基板１０２を備える。実装基板１０２は、その前面に複数のＬＥＤ１０１が左右方向（長手方向）に沿って１列に並ぶように実装されている。実装基板１０２は、例えば、左側の端部にコネクタが実装されている。このコネクタは、実装基板１０２に形成されている導体部と、電源ユニット１３の出力線とを電気的に接続するように構成されている。ＬＥＤモジュール１０は、その光軸が正面方向（前方）となるように配置される。
【００７２】
取付部材１１は、長尺かつ矩形板状に形成された底板１１０と、底板１１０の上端及び下端からそれぞれ後方に突出する一対の側板１１１と、を有する。
【００７３】
電源ユニット１３は、取付部材１１の後面側において、例えば、ねじ等を用いて側板１１１に取り付けられている。
【００７４】
カバー１２は、透光性を有する合成樹脂（例えば、アクリル樹脂、ポリカーボネート樹脂等）により形成されている。
【００７５】
光源ユニット１は、器具本体３の第１本体部３Ａに取り付けられている。
【００７６】
２つの非常用光源ユニット２の各々は、非常用光源２０（以下、「非常用ＬＥＤモジュール２０」とも称する）と、取付台２１と、カバー２２と、を備える。
【００７７】
２つの非常用光源ユニット２のうち左側の非常用光源ユニット２は、器具本体３の左側の第２本体部３Ｂに取り付けられている。右側の非常用光源ユニット２は、器具本体３の右側の第２本体部３Ｂに取り付けられている。
【００７８】
非常用ＬＥＤモジュール２０は、取付台２１にねじ等によって取り付けられている。非常用ＬＥＤモジュール２０は、その光軸に沿った方向が斜め下方となるように配置される。これにより、照明器具９では、非常用ＬＥＤモジュール２０から放射された光が床面へ照射される。
【００７９】
取付台２１は、アルミダイカストによって形成されている。２つの取付台２１のうち左側の取付台２１は、器具本体３の左側の第２本体部３Ｂに取り付けられている。２つの取付台２１のうち右側の取付台２１は、器具本体３の右側の第２本体部３Ｂに取り付けられている。
【００８０】
カバー２２は、板金製である。カバー２２には、円形の窓孔２２３０が形成されている。窓孔２２３０は、非常用光源ユニット２のレンズ２０１を挿通可能な大きさに形成されている。カバー２２は、窓孔２２３０にレンズ２０１を挿通して取付台２１に装着されている。
【００８１】
非常用光源ユニット２は、取付台２１及びカバー２２が器具本体３の背板３０にねじ止めされることで器具本体３の第２本体部３Ｂに取り付けられている。
【００８２】
ところで、特許文献１に記載された照明器具は、点検スイッチが操作されても常時用光源が点灯したまま、非常用光源が点灯する構成となっている。このため、点検者が、非常用光源による床面の照度を点検することが難しかった。これに対して、点検スイッチを、常用電源を遮断するスイッチにより構成した場合、点検スイッチにおける電気絶縁距離を長くする必要があり、点検スイッチが大きくなってしまう。このため、光源をＬＥＤ光源により構成しても、照明器具の小型化及び薄型化が難しくなる場合がある。
【００８３】
本実施形態の照明装置８は、常用電源４から電源装置５に給電されている状態で、非常用点灯装置６の制御回路６６に点検信号が入力されると、制御回路６６が電源装置５へ指示信号を出力して常時用光源１０を消灯させることが可能である。ここにおいて、照明装置８は、非常点灯回路６５により非常用光源２０を点灯させることが可能である。よって、照明装置８の点検者は、常時用光源１０が消灯しかつ非常用光源２０が点灯した状態で、床面の照度を照度計により測定することが可能である。したがって、照明装置８を備える照明器具９では、常用電源を遮断するスイッチにより点検スイッチを構成した照明器具と比べて、小型化及び薄型化を図ることが可能となる。照明装置８では、電源装置５における制御回路５４が、調光信号を取得する調光信号取得部を有している。また、照明装置８では、非常用点灯装置６における制御回路６６が、常時用光源１０を消灯させるための調光信号と同一の信号である指示信号を送出する指示信号送出部を有している。
【００８４】
以上説明した本実施形態の照明装置８は、常時用光源１０と、非常用光源２０と、常用電源４から給電され常時用光源１０を点灯させる電源装置５と、常用電源４が停電しているときに非常用光源２０を点灯させる非常用点灯装置６と、を備える。電源装置５は、外部（制御装置１００）から取得した調光信号で指示される調光レベルに基づいて常時用光源１０を調光し、かつ、常時用光源１０を消灯するように構成されている。非常用点灯装置６は、二次電池６３と、常用電源４から給電されて二次電池６３を充電する充電回路６４と、常用電源４が停電したときに二次電池６３から給電され非常用光源２０を点灯させる非常点灯回路６５と、制御回路６６と、を有する。制御回路６６は、常用電源４から給電されているときに取得した点検信号に応じて非常点灯回路６５に非常用光源２０を点灯させ、かつ電源装置５へ常時用光源１０の消灯を指示する指示信号を出力するように構成されている。指示信号は、常時用光源１０を消灯させるための調光信号と同一の信号である。
【００８５】
以上の構成により、照明装置８では、非常用光源２０による床面の照度を容易に点検することが可能となる。例えば、点検者は、照度計により床面の照度（水平面照度）を測定することで、床面の照度が所定照度以上であるか否かを点検することが可能となる。要するに、点検者は、照度計により、常時用光源１０を消灯させかつ非常用光源２０を点灯させた状態で、床面の照度として所定照度を確保できるか否かを点検することが可能となる。
【００８６】
照明装置８では、電源装置５が外部（制御装置１００）から取得する調光信号は、デューティ比で前記調光レベルを指示するデューティ信号である。電源装置５は、デューティ信号のデューティ比が所定範囲のときに常時用光源１０を消灯させるように構成されている。制御回路６６は、指示信号としてデューティ比が所定範囲のデューティ信号を出力するのが好ましい。これにより、照明装置８では、電源装置５に指示信号を取得するための専用の回路等を設ける必要がなく、電源装置５の回路設計が容易になる。
【００８７】
照明装置８は、調光信号の伝送経路１５１に設けられたダイオードＤ２１（第１ダイオード）と、指示信号の伝送経路１５２に設けられたダイオードＤ１４（第２ダイオード）と、を備えるのが好ましい。これにより、照明装置８は、調光信号が非常用点灯装置６へ回り込むのを抑制することが可能となり、かつ、指示信号が外部（制御装置１００）へ回り込むのを抑制することが可能となる。
【００８８】
制御回路６６は、常用電源４から給電されているときに取得した電池容量点検信号に応じて非常点灯回路６５に非常用光源２０を一定時間点灯させ、二次電池６３の電圧を監視することにより二次電池６３の点検を行う二次電池点検機能を有する。また、制御回路６６は、常用電源４から給電されているときに取得した電池容量点検信号に応じて指示信号を出力するように構成されている。これにより、照明装置８は、電池容量点検信号を取得したときに二次電池６３の点検を行うことができ、かつ、非常用光源２０を消灯させることが可能となる。
【００８９】
制御回路６６は、常用電源４が停電したときには二次電池６３から給電され、かつ、点検信号を受信したときに常用電源４から給電されている場合のみ、指示信号を出力する。これにより、照明装置８は、指示信号を出力するための電源を、二次電池６３からではなく、常用電源４から得るので、二次電池６３の容量の低下を抑制することが可能となる。よって、照明装置８では、二次電池点検機能により二次電池６３の点検を行う際に、常用電源４が停電して非常用光源２０を点灯させたときの状態に近い状態で、二次電池６３の点検を行うことが可能となる。
【００９０】
実施形態の変形例に係る照明装置８では、電源装置５が外部（制御装置１００）から取得する調光信号は、直流電圧レベルで調光レベルを指示する直流電圧信号である。ここにおいて、調光信号は、例えば、図８に示すような直流電圧信号である。制御回路５４は、外部（制御装置１００）からの調光信号である直流電圧信号のレベルに応じた光出力で常時用光源１０が点灯するように降圧チョッパ回路５３を制御する。制御回路５４は、図８に示すように、直流電圧信号の直流電圧レベルが大きいほど、降圧チョッパ回路５３から常時用光源１０へ供給させる電流（降圧チョッパ回路５３の出力電流）を低下させる。要するに、制御回路５４は、直流電圧信号の直流電圧レベルが大きいほど、常時用光源１０の光出力を低下させる。制御回路５４は、直流電圧信号の直流電圧レベルが所定範囲（例えば、４．５〜５Ｖ）の場合、光出力を０とする（調光レベルを０％とする）ように降圧チョッパ回路５３から常時用光源１０への電流の供給を停止させる。言い換えれば、制御回路５４は、常時用光源１０を消灯させるように降圧チョッパ回路５３の動作を停止させる。要するに、電源装置５は、直流電圧信号の直流電圧レベルが所定範囲のときに常時用光源１０を消灯させるように構成されている。
【００９１】
実施形態の変形例に係る照明装置８では、電源装置５は、直流電圧信号の電圧レベルが所定レベル範囲のときに常時用光源１０を消灯させるように構成されている。制御回路６６は、指示信号として電圧レベルが所定レベル範囲の直流電圧信号を出力する。これにより、照明装置８では、電源装置５に指示信号を取得するための専用の回路等を設ける必要がなく、電源装置５の回路設計が容易になる。
【００９２】
上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることは勿論のことである。
【００９３】
照明装置８は、階段灯に限らず、例えば、天井等に設置される照明器具に用いることができる。照明装置８を備える照明器具は、照明装置８を保持する器具本体あるいは筐体を備えるのが好ましい。
【符号の説明】
【００９４】
４  常用電源
５  電源装置
６  非常用点灯装置
６３  二次電池
６４  充電回路
６５  非常点灯回路
６６  制御回路
８  照明装置
１０  常時用光源
２０  非常用光源
１００  制御装置（外部）
１５１  調光信号の伝送経路
１５２  指示信号の伝送経路
Ｄ２１  ダイオード（第１ダイオード）
Ｄ１４  ダイオード（第２ダイオード）
【図１】
0006706794.tif 000002
【図２】
0006706794.tif 000003
【図３】
0006706794.tif 000004
【図４】
0006706794.tif 000005
【図５】
0006706794.tif 000006
【図６】
0006706794.tif 000007
【図７】
0006706794.tif 000008
【図８】
0006706794.tif 000009